(57)【要約】【課題】ＦＰＣ上の配線の断線発生時に、ＦＰＣ自体を交換・修理することなく、ＦＰＣ機能を回復可能とする。【解決手段】回路基板２１，２２間を接続するＦＰＣ１に少なくとも１以上の配線部２とその外側に少なくとも１以上の冗長配線部３とを有し、配線部２のいずれかが断線した場合、冗長配線部３により代替する。配線部２を回路基板２１，２２と接続するための接続用端子２３のうち、断線した配線の接続用端子と、冗長配線部３のいずれか選択した冗長接続用端子２４との間をジャンパ接続することにより接続を切り替える。または、接続用端子２３と冗長接続用端子２４とを変更割り当て可能なＩ／Ｏポートとし、該Ｉ／Ｏポートの変更割り当て制御を行うＬＳＩの制御により、ＦＰＣ１の配線部２のいずれか断線した配線の接続用端子に対応していたＩ／Ｏポートを、冗長接続用端子２４に対応しているＩ／Ｏポートに割り当て直すことにより接続を切り替える。【選択図】図３
2007335434.tif 000002
【特許請求の範囲】
【請求項１】
回路基板間を接続する１ないし複数の配線部を有するフレキシブル配線基板において、さらに、１ないし複数の冗長配線部を有し、前記配線部のいずれかが断線した場合に、断線した配線部を前記冗長配線部により代替することを特徴とするフレキシブル配線基板。
【請求項２】
前記冗長配線部が、前記配線部の外側に配置されていることを特徴とする請求項１に記載のフレキシブル配線基板。
【請求項３】
前記配線部を前記回路基板と接続するための接続用端子と、前記冗長配線部を前記配線部と代替するための冗長接続用端子とを有し、前記配線部のいずれかが断線した場合に、断線した配線部の前記接続用端子と、あるいは、当該接続用端子に接続している前記回路基板側の配線と、前記冗長接続用端子のいずれか選択した冗長接続用端子との間をジャンパ配線により接続可能としていることを特徴とする請求項１または２に記載のフレキシブル配線基板。
【請求項４】
フレキシブル配線基板の配線を介して相互に接続する回路基板において、前記フレキシブル配線基板の１ないし複数の配線部と接続するための接続用端子と、前記フレキシブル配線基板の１ないし複数の冗長配線部と接続するための冗長接続用端子とを有していることを特徴とする回路基板。
【請求項５】
前記フレキシブル配線基板の前記配線部のいずれかが断線した場合に、当該配線部に接続している前記接続用端子と前記冗長接続用端子のいずれか選択した冗長接続用端子との間をジャンパ配線により接続可能としていることを特徴とする請求項４に記載の回路基板。
【請求項６】
前記接続用端子と前記冗長接続用端子とを、信号の入出力位置の変更割り当てが可能なＩ／Ｏポートとして有し、該Ｉ／Ｏポートの変更割り当て制御を行うＬＳＩを備え、前記フレキシブル配線基板の前記配線部のいずれかが断線した場合、前記ＬＳＩの制御により、当該配線部に接続している接続用端子に対応するＩ／Ｏポートを、前記冗長接続用端子に対応するＩ／Ｏポートに割り当て直すことにより、前記接続用端子と前記冗長接続用端子とを切り替えることを特徴とする請求項４に記載の回路基板。
【請求項７】
回路基板間を接続するフレキシブル配線基板の１ないし複数の配線部のいずれかに発生した断線の修復を行うフレキシブル配線断線時の修復方法であって、
前記フレキシブル配線基板に、さらに、１ないし複数の冗長配線部を有し、前記配線部のいずれかが断線した場合に、断線した配線部を前記冗長配線部により代替することを特徴とするフレキシブル配線断線時の修復方法。
【請求項８】
前記冗長配線部が、前記配線部の外側に配置されていることを特徴とする請求項７に記載のフレキシブル配線断線時の修復方法。
【請求項９】
前記配線部を前記回路基板と接続するための接続用端子と、前記冗長配線部を前記配線部と代替するための冗長接続用端子とを有し、前記配線部のいずれかが断線した場合に、断線した配線部の前記接続用端子と、あるいは、当該接続用端子に接続している前記回路基板側の配線と、前記冗長接続用端子のいずれか選択した冗長接続用端子との間をジャンパ配線により接続可能としていることを特徴とする請求項７または８に記載のフレキシブル配線断線時の修復方法。
【請求項１０】
前記接続用端子と前記冗長接続用端子とを、信号の入出力位置の変更割り当てが可能なＩ／Ｏポートとして有し、該Ｉ／Ｏポートの変更割り当て制御を行う割り当て制御ステップの制御により、前記フレキシブル配線基板の前記配線部のいずれかが断線した場合、当該配線部に接続している接続用端子に対応するＩ／Ｏポートを、前記冗長接続用端子に対応するＩ／Ｏポートに割り当て直すことにより、前記接続用端子と前記冗長接続用端子とを切り替えることを特徴とする請求項７または８に記載のフレキシブル配線断線時の修復方法。
【発明の詳細な説明】
【技術分野】
【０００１】
本発明は、フレキシブル配線基板（ＦＰＣ:Flexible
Printed Circuit）、回路基板およびフレキシブル配線断線時の修復方法に関する。
【背景技術】
【０００２】
特許文献１の特開２００１−３３２８２０号公報「フレキシブル配線板」にも記載されているように、携帯端末等に用いられる液晶表示パネルとこの液晶表示パネルへの信号を供給する回路基板との間を接続するなど、フレキシブル配線基板（ＦＰＣ)は、携帯端末内の可動部分に使用される場合が多く、筐体可動に伴い、ＦＰＣに外部応力が加わり、ＦＰＣ上の配線層が断線してしまう故障が発生することを防止するために、その信頼性を確保する技術が開発されている。また、近年、小型化の進んだ携帯端末においては、従来のようなコネクタによるＦＰＣの接続は行わず、ＡＣＦ(Anisotropic Conductive Film：異方性導電フィルム)による熱圧着を用いてＦＰＣと回路基板との接続を行うようになってきている。
【特許文献１】特開２００１−３３２８２０号公報（第３頁）
【発明の開示】
【発明が解決しようとする課題】
【０００３】
かくのごとき熱圧着技術を用いている場合、ＡＣＦ部分の取り外し、再圧着については、専用設備が必要なため、修理作業が発生した場合に、専用設備のある修理拠点にて対応する必要があり、全国規模の展開ができず、修理の完了までの時間が大幅に掛かってしまう。また、修理の迅速性を追及すると、ＡＣＦ部分の取り外し、再圧着を行わずに、ＦＰＣあるいは回路基板を丸ごと交換してしまうことによって修理を行う場合が増加してきている。このような場合には、多くの部品を廃棄することとなり、コストの発生が避けられない。
【０００４】
そこで、本発明の目的は、ＦＰＣの配線層が外部応力等により断線した場合でも、ＦＰＣ自体を交換・修理することなく、簡易な手段を用いてＦＰＣの機能を回復することが可能なフレキシブル配線基板、回路基板およびフレキシブル配線断線時の修復方法を提供することにある。
【課題を解決するための手段】
【０００５】
前述の課題を解決するため、本発明によるフレキシブル配線基板、回路基板およびフレキシブル配線断線時の修復方法は、次のような特徴的な構成を採用している。
【０００６】
（１）回路基板間を接続する１ないし複数の配線部を有するフレキシブル配線基板において、さらに、１ないし複数の冗長配線部を有し、前記配線部のいずれかが断線した場合に、断線した配線部を前記冗長配線部により代替するフレキシブル配線基板。
（２）前記冗長配線部が、前記配線部の外側に配置されている上記（１）のフレキシブル配線基板。
（３）前記配線部を前記回路基板と接続するための接続用端子と、前記冗長配線部を前記配線部と代替するための冗長接続用端子とを有し、前記配線部のいずれかが断線した場合に、断線した配線部の前記接続用端子と、あるいは、当該接続用端子に接続している前記回路基板側の配線と、前記冗長接続用端子のいずれか選択した冗長接続用端子との間をジャンパ配線により接続可能としている上記（１）または（２）のフレキシブル配線基板。
（４）フレキシブル配線基板の配線を介して相互に接続する回路基板において、前記フレキシブル配線基板の１ないし複数の配線部と接続するための接続用端子と、前記フレキシブル配線基板の１ないし複数の冗長配線部と接続するための冗長接続用端子とを有している回路基板。
（５）前記フレキシブル配線基板の前記配線部のいずれかが断線した場合に、当該配線部に接続している前記接続用端子と前記冗長接続用端子のいずれか選択した冗長接続用端子との間をジャンパ配線により接続可能としている上記（４）の回路基板。
（６）前記接続用端子と前記冗長接続用端子とを、信号の入出力位置の変更割り当てが可能なＩ／Ｏポートとして有し、該Ｉ／Ｏポートの変更割り当て制御を行うＬＳＩを備え、前記フレキシブル配線基板の前記配線部のいずれかが断線した場合、前記ＬＳＩの制御により、当該配線部に接続している接続用端子に対応するＩ／Ｏポートを、前記冗長接続用端子に対応するＩ／Ｏポートに割り当て直すことにより、前記接続用端子と前記冗長接続用端子とを切り替える上記（４）の回路基板。
（７）回路基板間を接続するフレキシブル配線基板の１ないし複数の配線部のいずれかに発生した断線の修復を行うフレキシブル配線断線時の修復方法であって、
前記フレキシブル配線基板に、さらに、１ないし複数の冗長配線部を有し、前記配線部のいずれかが断線した場合に、断線した配線部を前記冗長配線部により代替するフレキシブル配線断線時の修復方法。
（８）前記冗長配線部が、前記配線部の外側に配置されている上記（７）のフレキシブル配線断線時の修復方法。
（９）前記配線部を前記回路基板と接続するための接続用端子と、前記冗長配線部を前記配線部と代替するための冗長接続用端子とを有し、前記配線部のいずれかが断線した場合に、断線した配線部の前記接続用端子と、あるいは、当該接続用端子に接続している前記回路基板側の配線と、前記冗長接続用端子のいずれか選択した冗長接続用端子との間をジャンパ配線により接続可能としている上記（７）または（８）のフレキシブル配線断線時の修復方法。
（１０）前記接続用端子と前記冗長接続用端子とを、信号の入出力位置の変更割り当てが可能なＩ／Ｏポートとして有し、該Ｉ／Ｏポートの変更割り当て制御を行う割り当て制御ステップの制御により、前記フレキシブル配線基板の前記配線部のいずれかが断線した場合、当該配線部に接続している接続用端子に対応するＩ／Ｏポートを、前記冗長接続用端子に対応するＩ／Ｏポートに割り当て直すことにより、前記接続用端子と前記冗長接続用端子とを切り替える上記（７）または（８）のフレキシブル配線断線時の修復方法。
【発明の効果】
【０００７】
本発明のフレキシブル配線基板（ＦＰＣ）、回路基板およびフレキシブル配線断線時の修復方法によれば、以下のような効果を奏することができる。
【０００８】
第１の効果は、ＦＰＣそのものを交換することなく、ＦＰＣの機能を回復することが可能なため、修理に伴うＦＰＣコスト、修復作業の人的コストを大幅に削減することができることである。
【０００９】
第２の効果は、ＦＰＣ修理に伴う、特殊な設備を用意する必要がなくなるため、設備に掛かるコストを削減することができ、かつ、修理に掛かる時間を短縮することができることである。
【００１０】
第３の効果は、ハードウェア的な修理・修正を加えることなく、ＬＳＩ内のＩ／Ｏ割り当ての変更のみでＦＰＣ上の断線した配線部を冗長配線部に切り替えることができ、修理に掛かるコスト、時間を短縮することができることである。
【発明を実施するための最良の形態】
【００１１】
以下、本発明によるフレキシブル配線基板、回路基板およびフレキシブル配線断線時の修復方法の好適実施形態例について添付図を参照して説明する。
【００１２】
図１は、本発明によるフレキシブル配線基板（ＦＰＣ：Flexible Printed Circuit)の一例を示す模式図である。図１において、符号１はＦＰＣ、符号２はＦＰＣ１上に配置された１ないし複数の配線部、符号３はＦＰＣ１上に予備用として配置された１ないし複数の冗長配線部を示す。図１に示すように、本発明によるフレキシブル配線基板（ＦＰＣ）には、通常の配線部２の他に、冗長構成となる冗長配線部３も有している。図１のＦＰＣ１上に構成された配線部２に外部応力等による断線が発生した場合、修復工程において、ＦＰＣ１上の冗長配線部３を断線した配線部２の代替として使用する。
【００１３】
図２は、本発明によるフレキシブル配線基板（ＦＰＣ)を搭載した回路基板の一例を示す模式図である。図２において、符号１１は基板側回路ブロック、符号１はＦＰＣ、符号１２はＦＰＣ接続先回路基板部を示す。ＦＰＣ１上に構成された配線部２に外部応力等による断線が発生した場合に備えて、図２の基板回路ブロック１１上およびＦＰＣ接続先回路基板部１２の内蔵回路の配線は、ＦＰＣ１の配線部２と冗長配線部３とのいずれにも接続可能な構成とされている。このような接続を行うために、基板側回路ブロック１１、ＦＰＣ接続先回路基板部１２それぞれの回路基板側、および／または、ＦＰＣ１側に、接続用端子、冗長接続用端子を設けて、回路基板とＦＰＣ１との対応する接続用端子間をＣｕ等の導体により接続するとともに、回路基板またはＦＰＣ１上の接続用端子と冗長接続用端子との間を、導体配線（ジャンパ配線）を使用して接続する。
【００１４】
これにより、コスト・設備・工数が大きくなるＦＰＣ１自体を取り外す工程を経ることなく、断線したＦＰＣ１部分の修復が完了させることができる。
【００１５】
また、ＦＰＣ１に接続する両側の回路基板に、接続用端子と冗長接続用端子とを、信号の入出力位置の変更割り当てが可能なＩ／Ｏポートとして有し、該Ｉ／Ｏポートの変更割り当て制御を行い、信号線割り当て状態をソフトウェア的に変更可能とするＬＳＩを、Ｉ／Ｏポートの変更割り当て制御を行う割り当て制御方法（Ｉ／Ｏポート割り当て制御ステップ）を実現するための一つの手段として用いることも可能である。この場合、前記ＬＳＩの制御により、故障診断により断線と判明した配線部２に対応するＩ／Ｏポートを、ＦＰＣ１上に設けた冗長配線部３に対応するＩ／Ｏポートに割り当て直すことにより、ハードウェア的な処置を行わずに、ＦＰＣ１の機能を修復することが可能になる。
【００１６】
このようにして、本発明においては、断線された配線部２を冗長配線部３に置き換えることによって、ＦＰＣ１の機能を容易に回復することができる。
【００１７】
（実施例）
図３を参照すると、本発明によるフレキシブル配線基板（ＦＰＣ)を用いた回路構成の一実施例が示されている。図３において、符号２１はＦＰＣ接続元回路基板部、符号１はＦＰＣ、符号２２はＦＰＣ接続先回路基板部、符号２３は接続用端子、符号２４は冗長接続用端子を示す。ＦＰＣ１には１ないし複数の信号線が設けられており、ＦＰＣ接続元回路基板部２１、ＦＰＣ接続先回路基板部２２の回路基板間の信号線接続用として用いられている。
【００１８】
また、ＦＰＣ接続元回路基板部２１、ＦＰＣ接続先回路基板部２２それぞれの回路基板部には、信号の入出力を行う回路ブロックが用意されている。ＦＰＣ接続元回路基板部２１、ＦＰＣ接続先回路基板部２２それぞれの回路ブロックと接続するために、ＦＰＣ接続元回路基板部２１、ＦＰＣ接続先回路基板部２２のＦＰＣ接続部には、接続用端子２３Ａが用意されており、ＦＰＣ１側の接続用端子２３、冗長接続用端子２４と接続可能とされている。
【００１９】
ここで、ＦＰＣ１上の配線部２のうち、いずれかの配線例えば配線(Ｓｉｇｎａｌ−３)が外部応力等により断線した場合、ＦＰＣ１上に設けた冗長配線部(Ｄｕｍｍｙ)すなわち冗長配線部３を代替として使用するために、ＦＰＣ接続元回路基板部２１の接続用端子２３およびＦＰＣ接続先回路基板部２２の接続用端子２３Ａに対向して配置されているＦＰＣ１側の接続用端子２３と冗長接続用端子２４とを用いて、電気的に、断線した配線(Ｓｉｇｎａｌ−３)の接続用端子２３と冗長配線部(Ｄｕｍｍｙ)すなわち冗長配線部３の冗長用接続用端子２４とをジャンパ配線することによって、配線部２を冗長配線部３によって代替させることができる。
【００２０】
これにより、交換の困難なＦＰＣ１を交換することなく、断線した配線の修復を行うことが可能となる。なお、図３として前述した実施例においては、冗長配線部(Ｄｕｍｍｙ)すなわち冗長配線部３を１ラインとして説明しているが、冗長配線部３を複数用意しておくことで、そのうちのいずれか選択した冗長配線部を断線した配線(Ｓｉｇｎａｌ−３)に代替して接続するようにして、ＦＰＣ１上の配線部２の複数の断線に対応することが可能である。
【００２１】
また、図３に例示したＦＰＣ１側の冗長接続用端子２４と対応するＦＰＣ接続元回路基板部２１、ＦＰＣ接続先回路基板部２２の回路基板側にも冗長接続用端子を配置して、ＦＰＣ１側の冗長接続用端子２４と接続する構成としても良い。この場合には、ＦＰＣ１側の配線部２のいずれかの配線例えば配線(Ｓｉｇｎａｌ−３)に断線が発生した場合、ＦＰＣ１側ではなく、該配線(Ｓｉｇｎａｌ−３)に接続している双方の固定基板側の接続用端子２３Ａと、それぞれの固定基板側の冗長接続用端子とをジャンパ配線によって接続することにより、接続を切り替えることが可能である。このように、非可塑性の固定基板上での配線作業を行うことによって、作業性を向上させることが可能である。
【００２２】
また、ＦＰＣ１上の１ないし複数の冗長配線部(Ｄｕｍｍｙ)すなわち冗長配線部３は、ＦＰＣ１上の配線層すなわち配線部２の外側に配置するようにして、配線部２を外部から覆うように配置しても良い。これにより、通常状態では、信号が送受信されない冗長配線部３が信号送受信を行っている配線部２の外側を覆う状態になるので、ＦＰＣ１の信頼性を向上させることができる。
【００２３】
（実施例の動作説明）
次に、図３における冗長配線部３への切り替え動作についてさらに説明する。ＦＰＣ接続元回路基板部２１、ＦＰＣ接続先回路基板部２２の回路基板上の例えば配線（Ｓｉｇｎａｌ−３）に接続されているＦＰＣ１上の配線層すなわち配線部２が外部応力の影響等によって断線したことが検出された場合に、ＦＰＣ１上の接続用端子２３と冗長接続用端子２４、あるいは、ＦＰＣ接続元回路基板部２１およびＦＰＣ接続先回路基板部２２の回路基板上のＦＰＣ接続部すなわち接続用端子２３Ａと冗長接続用端子とを使用して、ＦＰＣ１上の冗長配線部(Ｄｕｍｍｙ)すなわち冗長配線部３と配線（Ｓｉｇｎａｌ−３）とを、０＆抵抗等の導体を用いて、ＦＰＣ１上で、あるいは、ＦＰＣ接続元回路基板部２１およびＦＰＣ接続先回路基板部２２の回路基板上で、あるいは、ＦＰＣ１と前記回路基板との間で、相互の接続を行う。
【００２４】
このことにより、ＦＰＣ１上で断線された配線部分を迂回し、ＦＰＣ１上の冗長配線部(Ｄｕｍｍｙ) すなわち冗長配線部３を経由して、断線前と同様に、信号の伝送路が形成される。
【００２５】
（効果の説明）
以上説明したように、本発明においては、以下に記載するような効果を奏することができる。
【００２６】
第１の効果は、ＦＰＣそのものを交換することなく、ＦＰＣの機能を回復することが可能なため、修理に伴うＦＰＣコスト、修復作業の人的コストを大幅に削減することができることである。
【００２７】
第２の効果は、ＦＰＣ修理に伴う、特殊な設備を用意する必要がなくなるため、設備に掛かるコストを削減することができ、かつ、修理に掛かる時間を短縮することができることである。
【００２８】
（他の実施例）
本発明の他の実施例においては、その基本的構成は、前述の実施例と同様であるが、ソフトウェア的に端子割り当て変更制御が可能なＬＳＩを用いる例について説明する。すなわち、本実施例では、ＦＰＣ１の配線部２、冗長配線部３にそれぞれ接続する固定基板側の接続用端子と冗長接続用端子とを、信号の入出力位置の変更割り当てが可能なＩ／Ｏポートとして有しており、該Ｉ／Ｏポートの変更割り当て制御を行う割り当て制御方法の一つとして、Ｉ／Ｏポート割り当て制御プログラムを搭載したＬＳＩを有している。当該ＬＳＩにおけるＩ／Ｏポート割り当て制御プログラムが実行されることにより、配線部２のうち断線した配線に割り当てられていたＩ／Ｏポート（信号線）を冗長配線部３に割り当てられたＩ／Ｏポート（信号線）に割り当て直すことにより、前述の実施例のようなジャンパ配線を用いたハードウェア的な修復を実施することなく、断線した配線を修復することが可能となる。
【００２９】
図４は、本発明によるフレキシブル配線基板（ＦＰＣ)を用いた回路構成の他の実施例を示す模式図である。図４において、符号３１はＦＰＣ接続元回路基板部、符号１はＦＰＣ、符号３２はＦＰＣ接続先回路基板部を示す。また、符号３３はＩ／Ｏポート割り当て制御が可能なＬＳＩであり、ＦＰＣ接続元回路基板部３１、ＦＰＣ接続先回路基板部３２の各Ｉ／Ｏポートそれぞれが、ＦＰＣ１上の配線部２、冗長配線部３を介して電気的に接続されている。
【００３０】
ＦＰＣ１上の配線部２のうちいずれかの配線例えば配線(ＧＰＩＯ−１)が外部応力等により断線した場合、ＦＰＣ１上に設けた冗長配線部(ＧＰＩＯ−４)すなわち冗長配線部３を代替として使用するために、ＦＰＣ接続元回路基板部３１、ＦＰＣ接続先回路基板部３２それぞれのＬＳＩ３３のＩ／Ｏポート割り当て制御プログラムの制御により、Ｉ／Ｏポートの割り当て変更をソフトウェア的に行わせる。具体的には、断線した配線（ＧＰＩＯ−１）の接続用端子として割り当てられていたＩ／Ｏポート（信号線）を、冗長配線部（ＧＰＩＯ−４）の冗長接続用端子として割り当てられていたＩ／Ｏポート（信号線）に割り当て直す。この結果、今まで、ＬＳＩ３３との間で、配線（ＧＰＩＯ−１）を介して送受信されていた信号が、冗長配線部（ＧＰＩＯ−４）を介して送受信される状態に切り替わる。
【００３１】
これにより、ハードウェア的な修理・修正を加えることなく、ＬＳＩ内のＩ／Ｏ割り当ての変更のみでＦＰＣ１上の断線した配線部２を冗長配線部３に切り替えることができ、修理に掛かるコスト、時間を短縮することができる。
【００３２】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることは、当業者には容易に理解できよう。
【図面の簡単な説明】
【００３３】
【図１】本発明によるフレキシブル配線基板（ＦＰＣ：Flexible Printed Circuit)の一例を示す模式図である。
【図２】本発明によるフレキシブル配線基板（ＦＰＣ)を搭載した回路基板の一例を示す模式図である。
【図３】本発明によるフレキシブル配線基板（ＦＰＣ)を用いた回路構成の一実施例を示す模式図である。
【図４】本発明によるフレキシブル配線基板（ＦＰＣ)を用いた回路構成の他の実施例を示す模式図である。
【符号の説明】
【００３４】
１      ＦＰＣ
２      配線部
３      冗長配線部
１１    基板側回路ブロック
１２    ＦＰＣ接続先回路基板部
２１    ＦＰＣ接続元回路基板部
２２    ＦＰＣ接続先回路基板部
２３    接続用端子
２３Ａ  接続用端子
２４    冗長接続用端子
３１    ＦＰＣ接続元回路基板部
３２    ＦＰＣ接続先回路基板部
３３    ＬＳＩ
【図１】
2007335434.tif 000003
【図２】
2007335434.tif 000004
【図３】
2007335434.tif 000005
【図４】
2007335434.tif 000006